【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】
表示状態が変化可能な複数の可変表示部を有する可変表示装置と、前記複数の可変表示部の表示結果が所定の表示態様となったことに関連して遊技で使用可能な遊技価値を賞として付与可能な賞付与手段と、前記遊技価値を記憶可能なクレジット手段と、遊技価値として遊技媒体を遊技者に払い出す払出手段と、を備える遊技装置であって、
記憶媒体から読み取った情報によって特定可能に保有されている価値の範囲内で、当該価値から遊技で使用可能な遊技価値への変換に関わる制御を行う価値変換制御手段を備え、
前記クレジット手段は、
前記価値変換制御手段の制御によって変換された遊技価値と、前記賞付与手段によって付与される遊技価値とを記憶可能とするとともに、前記各遊技価値を加算記憶する場合に所定の記憶上限まで記憶可能とし、
前記価値変換制御手段は、前記クレジット手段に記憶されている遊技価値を、前記払出手段により遊技媒体として払い出すことによって、前記遊技価値の記憶を初期化した後に、前記記憶媒体から読み取った情報によって特定される価値を遊技価値へ変換することを特徴とする遊技装置。
【請求項２】
前記価値変換制御手段による変換制御を、遊技中において禁止する変換制御禁止手段を備え、
前記変換制御禁止手段は、遊技価値への変換要求を監視し、遊技中において変換要求が発生した場合に、遊技終了後に変換処理をさせるために遊技終了後まで該変換要求を記憶する変換要求記憶手段を備えることを特徴とする請求項１に記載の遊技装置。
【請求項３】
前記変換された遊技価値が、前記クレジット手段の記憶に加算される間は、遊技の実行を禁止する遊技実行禁止手段を備えることを特徴とする請求項１又は２に記載の遊技装置。
【手続補正２】
【補正対象書類名】明細書
【補正対象項目名】０００９
【補正方法】変更
【補正の内容】
【０００９】
【課題を解決するための手段】
第１の発明は、表示状態が変化可能な複数の可変表示部を有する可変表示装置と、前記複数の可変表示部の表示結果が所定の表示態様となったことに関連して遊技で使用可能な遊技価値を賞として付与可能な賞付与手段と、前記遊技価値を記憶可能なクレジット手段と、遊技価値として遊技媒体を遊技者に払い出す払出手段と、を備える遊技装置であって、記憶媒体から読み取った情報によって特定可能に保有されている価値の範囲内で、当該価値から遊技で使用可能な遊技価値への変換に関わる制御を行う価値変換制御手段を備え、前記クレジット手段は、前記価値変換制御手段の制御によって変換された遊技価値と、前記賞付与手段によって付与される遊技価値とを記憶可能とするとともに、前記各遊技価値（価値変換制御手段の制御によって変換される遊技価値及び賞付与手段によって付与される遊技価値）を加算記憶する場合に所定の記憶上限まで記憶可能とし、前記価値変換制御手段は、前記クレジット手段に記憶されている遊技価値を、前記払出手段により遊技媒体として払い出すことによって、前記遊技価値の記憶を初期化した後に、前記記憶媒体から読み取った情報によって特定される価値を遊技価値へ変換する。
【手続補正３】
【補正対象書類名】明細書
【補正対象項目名】００１０
【補正方法】変更
【補正の内容】
【００１０】
第２の発明は、第１の発明において、前記価値変換制御手段による変換制御を、遊技中において禁止する変換制御禁止手段を備え、前記変換制御禁止手段は、遊技価値への変換要求を監視し、遊技中において変換要求が発生した場合に、遊技終了後に変換処理をさせるために遊技終了後まで該変換要求を記憶する変換要求記憶手段を備えることを特徴とする。
【手続補正４】
【補正対象書類名】明細書
【補正対象項目名】００１１
【補正方法】変更
【補正の内容】
【００１１】
第３の発明は、第１又は第２の発明において、前記変換された遊技価値が、前記クレジット手段の記憶に加算される間は、遊技の実行を禁止する遊技実行禁止手段を備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
【発明の作用および効果】
第１の発明では、表示状態が変化可能な複数の可変表示部を有する可変表示装置と、前記複数の可変表示部の表示結果が所定の表示態様となったことに関連して遊技で使用可能な遊技価値を賞として付与可能な賞付与手段と、前記遊技価値を記憶可能なクレジット手段と、遊技価値として遊技媒体を遊技者に払い出す払出手段と、を備える遊技装置であって、記憶媒体から読み取った情報によって特定可能に保有されている価値の範囲内で、当該価値から遊技で使用可能な遊技価値への変換に関わる制御を行う価値変換制御手段を備え、前記クレジット手段は、前記価値変換制御手段の制御によって変換された遊技価値と、前記賞付与手段によって付与される遊技価値とを記憶可能とするとともに、前記各遊技価値（価値変換制御手段の制御によって変換される遊技価値及び賞付与手段によって付与される遊技価値）を加算記憶する場合に所定の記憶上限まで記憶可能とし、前記価値変換制御手段は、前記クレジット手段に記憶されている遊技価値を、前記払出手段により遊技媒体として払い出すことによって、前記遊技価値の記憶を初期化した後に、前記記憶媒体から読み取った情報によって特定される価値を遊技価値へ変換するので、貸メダルがクレジットされることで、操作を簡便にすることができる。また、半端な数の遊技価値が貸し出されて、記憶媒体に端数の遊技価値が残ることがない。
【手続補正１９】
【補正対象書類名】明細書
【補正対象項目名】００２６
【補正方法】変更
【補正の内容】
【００２６】
また、クレジット状態が初期化されてから、クレジットがされるので、変換される遊技価値数を容易に把握することができる。
【手続補正２０】
【補正対象書類名】明細書
【補正対象項目名】００２７
【補正方法】変更
【補正の内容】
【００２７】
また、記憶している遊技価値の記憶を初期化するので、特別な手段によることなくクレジット状態を初期化することができる。
【手続補正２１】
【補正対象書類名】明細書
【補正対象項目名】００２８
【補正方法】変更
【補正の内容】
【００２８】
また、クレジット数の所定の上限値を超えてクレジット数が加算記憶されることがない。
【手続補正２２】
【補正対象書類名】明細書
【補正対象項目名】００２９
【補正方法】変更
【補正の内容】
【００２９】
第２の発明では、遊技中において変換要求が発生した場合に、遊技終了後に変換処理をさせるために遊技終了後まで該変換要求を記憶する変換要求記憶手段を備えるので、変換要求があっても遊技中に変換しなくとも済むとともに、一度あった変換要求を再要求しなくとも済む。
【手続補正２３】
【補正対象書類名】明細書
【補正対象項目名】００３０
【補正方法】変更
【補正の内容】
【００３０】
第３の発明では、カードに記憶された情報から変換遊技価値と賞として供給される遊技価値とが競合して発生することがなく、クレジットの加算制御を簡素化することができる。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】